(57)【要約】  本発明は、長手方向(Y)および横方向(X)を有する、パンツおむつ、サニタリーパンツ、または失禁用パンツなどの、使い捨てパンツタイプ吸収性物品(1)であって、上記使い捨てパンツタイプ吸収性物品(1)が男性使用者に適合する、使い捨てパンツタイプ吸収性物品(1)と、このような使い捨てパンツタイプ吸収性物品(1)を製造するための方法とに関連する。
2020512093.tif 000002
【特許請求の範囲】
【請求項１】
長手方向（Ｙ）および横方向（Ｘ）を有する、パンツおむつ、サニタリーパンツ、または失禁用パンツなどの、使い捨てパンツタイプ吸収性物品（１）であって、前記使い捨てパンツタイプ吸収性物品（１）が男性使用者に適合し、前記使い捨てパンツタイプ吸収性物品（１）が、
腰部縁部（２０）と、一対の脚部縁部（２１ａ、２１ｂ）と、一対の側部縁部（９ａ、９ｂ）とを有する、ラミネートウェブ材料で作られる前方パネル（３）と、
腰部縁部（２５）と、一対の脚部縁部（２７ａ、２７ｂ）と、一対の側部縁部（１０ａ、１０ｂ）とを有する後方パネル（４）と、
主として前記使い捨てパンツタイプ吸収性物品（１）の股部分の中に位置し、前記前方パネル（３）および前記後方パネル（４）に接続され、長手方向コア縁部（１４）と、前方コア縁部（１５）と、後方コア縁部（１６）とを備える吸収性コア（５）を有する、吸収性インサート（２）と、
を備え、
前記吸収性コア（５）が、前記長手方向（Ｙ）における前記吸収性コア（５）の全長（Ｌ５）の３０％である前記長手方向（Ｙ）における長さ（Ｌ２）を有して前記前方コア縁部（１５）から延在する前方セグメント（１７）と、前記長手方向（Ｙ）における前記吸収性コア（５）の全長（Ｌ５）の３０％である前記長手方向（Ｙ）における長さ（Ｌ３）を有して前記後方コア縁部（１６）から延在する後方セグメント（１８）と、前記長手方向（Ｙ）における前記吸収性コア（５）の全長（Ｌ５）の４０％である前記長手方向（Ｙ）における長さ（Ｌ４）を有して前記前方セグメント（１７）と前記後方セグメント（１８）との間に位置する中間セグメント（１９）と、有し、
前記吸収性コア（５）が前記前方セグメント（１７）内に幅広部分（２２）を有し、前記幅広部分（２２）が、前記後方セグメント（１８）の中の前記吸収性コア（５）の前記横方向（Ｘ）における最大幅（Ｗ２）より少なくとも１．１倍大きい前記横方向（Ｘ）の幅（Ｗ１）を有し、
前記前方パネル（３）の前記ラミネートウェブ材料が、主として前記横方向に延在して前記前方パネル（３）の前記脚部縁部（２１ａ、２１ｂ）に隣接して位置する第１の少なくとも部分的に弾性である領域（１１）と、主として前記横方向に延在して第１の弾性領域（１１）の隣に位置して前記前方パネル（３）の前記腰部縁部（２０）のより近くにある第２の少なくとも部分的に弾性である領域（１２）とを有し、
少なくとも１つの構造的弾性特性に関して、前記第１の少なくとも部分的に弾性である領域（１１）が前記第２の少なくとも部分的に弾性である領域（１２）から区別され、
前記第１の少なくとも部分的に弾性である領域（１１）の前記ラミネートウェブ材料の弾性化パート（３９）、または前記第１の少なくとも部分的に弾性である領域（１１）の前記ラミネートウェブ材料の前記弾性化パート（３９）の内側仮想延在部分（２３）が、前記吸収性コア（５）の前記幅広部分（２２）内で長手方向コア縁部（１４）と交差する、使い捨てパンツタイプ吸収性物品（１）。
【請求項２】
前記構造的弾性特性が、
前記第１の少なくとも部分的に弾性である領域（１１）の前記ラミネートウェブ材料の前記弾性化パート（３９）が、前記第２の少なくとも部分的に弾性である領域（１２）の前記ラミネートウェブ材料の弾性化パートより、前記横方向（Ｘ）において所与の延伸量でより大きい引張応力を有すること、
隣り合う弾性スレッドの間のスペーシング、
前記弾性スレッドの質量密度、または
平坦な非寄せ集め状態において前記前方パネル（３）を備える前記弾性スレッドの延伸レベル、
のうちの１つまたは複数である、請求項１に記載の使い捨てパンツタイプ吸収性物品（１）。
【請求項３】
前記吸収性コア（５）の前記前方セグメント（１７）が、前記後方セグメント（１８）の面積（Ａ２）と比較して、少なくとも１．１倍、具体的には少なくとも１．２倍、より具体的には少なくとも１．３倍の大きさの面積（Ａ１）を有する、請求項１又は２に記載の使い捨てパンツタイプ吸収性物品（１）。
【請求項４】
前記幅広部分（２２）が、３０〜２００ミリメートル、具体的には４０〜１８０ミリメートル、より具体的には５０〜１６０ミリメートルの範囲の前記長手方向（Ｙ）の長さ（Ｌ１）を有する、請求項１から３のいずれか一項に記載の使い捨てパンツタイプ吸収性物品（１）。
【請求項５】
前記幅広部分（２２）が、前記吸収性コア（５）の前記前方セグメント（１７）の長さ（Ｌ２）の、２０〜１３０％、具体的には２５〜１２０％、より具体的には３０〜１００％の範囲の前記長手方向（Ｙ）の長さ（Ｌ１）を有する、請求項１から４のいずれか一項に記載の使い捨てパンツタイプ吸収性物品（１）。
【請求項６】
前記幅広部分（２２）が、前記後方セグメント（１８）内の、前記吸収性コア（５）の前記横方向（Ｘ）の最大幅（Ｗ２）の、少なくとも１．２倍、具体的には少なくとも１．３倍大きい、前記横方向（Ｘ）の幅（Ｗ１）を有する、請求項１から５のいずれか一項に記載の使い捨てパンツタイプ吸収性物品（１）。
【請求項７】
前記第１の少なくとも部分的に弾性である領域（１１）の前記ラミネートウェブ材料の弾性化パート（３９）が、前記前方パネル（３）の側方縁部（９ａ、９ｂ）に隣接する外側端部から、前記吸収性コア（５）から離間されて位置する内側端部（２６）まで延在し、前記第１の少なくとも部分的に弾性である領域（１１）の前記ラミネートウェブ材料の弾性化パート（３９）の前記内側仮想延在部分（２３）が、前記第１の少なくとも部分的に弾性である領域（１１）の前記ラミネートウェブ材料の弾性化パート（３９）の線形部分の前記内側端部（２６）から線形的に延在するか、または前記第１の少なくとも部分的に弾性である領域（１１）の前記ラミネートウェブ材料の弾性化パート（３９）の湾曲部分の前記内側端部（２６）から接線方向に延在する、請求項１から６のいずれか一項に記載の使い捨てパンツタイプ吸収性物品（１）。
【請求項８】
前記吸収性コア（５）の前記幅広部分（２２）が、前記第１の少なくとも部分的に弾性である領域（１１）の前記ラミネートウェブ材料の前記弾性化パート（３９）、または前記第１の少なくとも部分的に弾性である領域（１１）の前記ラミネートウェブ材料の前記弾性化パート（３９）の前記内側仮想延在部分（２３）が、長手方向コア縁部（１４）に交差する位置（４１）の下方において前記吸収性コア（５）の前記前方セグメント（１７）の前記長さ（Ｌ２）の少なくとも２０％に相当する距離（Ｄ１）で延在する、請求項１から７のいずれか一項に記載の使い捨てパンツタイプ吸収性物品（１）。
【請求項９】
前記吸収性コア（５）の前記幅広部分（２２）が、前記第１の少なくとも部分的に弾性である領域（１１）の前記ラミネートウェブ材料の前記弾性化パート（３９）、または前記第１の少なくとも部分的に弾性である領域（１１）の前記ラミネートウェブ材料の前記弾性化パート（３９）の前記内側仮想延在部分（２３）が、長手方向コア縁部（１４）に交差する位置（４１）の上方において前記吸収性コア（５）の前記前方セグメント（１７）の前記長さ（Ｌ２）の少なくとも２０％に相当する距離（Ｄ２）で延在する、請求項１から８のいずれか一項に記載の使い捨てパンツタイプ吸収性物品（１）。
【請求項１０】
前記横方向（Ｘ）における前記前方コア縁部（１５）に隣接する前記吸収性コア（５）の幅（Ｗ４）が、前記吸収性コア（５）の前記前方セグメント（１７）の残りの部分における前記横方向（Ｘ）の前記吸収性コア（５）の幅より小さい、請求項１から９のいずれか一項に記載の使い捨てパンツタイプ吸収性物品（１）。
【請求項１１】
前記横方向（Ｘ）において前記前方コア縁部（１５）に隣接する前記吸収性コア（５）の幅（Ｗ４）が、前記横方向（Ｘ）における前記吸収性コア（５）の前記後方セグメント内の前記吸収性コア（５）の少なくとも一部分の幅（Ｗ２）に等しい、請求項１から８のいずれか一項に記載の使い捨てパンツタイプ吸収性物品（１）。
【請求項１２】
前記第２の少なくとも部分的に弾性である領域（１２）の前記ラミネートウェブ材料の弾性化パートが、前記長手方向（Ｙ）において３０ｍｍ以下で、また具体的には２０ｍｍ以下で前記前方コア縁部（１５）から延在する前記吸収性コア（５）の前記前方セグメント（１７）の一エリアにわたって延在し、その結果、前記使い捨てパンツタイプ吸収性物品（１）の使用中に前記前方コア縁部（１５）が使用者の方に押圧される、請求項１から１１のいずれか一項に記載の使い捨てパンツタイプ吸収性物品（１）。
【請求項１３】
前記前方セグメント（１７）が男性使用者の生殖器を受けるように構成され、前記第１の少なくとも部分的に弾性である領域（１１）の前記ラミネートウェブ材料の弾性化パート（３９）が前記前方セグメント（１７）の横側上を延在するが、前記前方セグメント（１７）の上を完全に延在するわけではなく、それにより、前記使い捨てパンツタイプ吸収性物品（１）の使用中に前記前方セグメント（１７）内の前記吸収性コア（５）が外側に隆起することが可能となり、吸収剤（１）が、前記前方セグメント（１７）の横側に沿うサイドギャザー効果を得ることを目的として、前記前方セグメント（１７）の各横側に対して実質的に長手方向において取り付けられる少なくとも１つの細長い側方弾性要素（３０）をさらに備え、その結果、前記前方セグメント（１７）内の前記吸収性コア（５）が、前記側方弾性要素（３０）の影響下で、前記使い捨てパンツタイプ吸収性物品（１）の使用中に外側に隆起するように適合され、それにより男性使用者の生殖器を受けるための内部ポケットを形成する、請求項１から１２のいずれか一項に記載の使い捨てパンツタイプ吸収性物品（１）。
【請求項１４】
第１および／または第２の少なくとも部分的に弾性である領域（１１、１２）の前記ラミネートウェブ材料の前記弾性化パートが、前記長手方向コア縁部（１４）の手前で終端する、請求項１から１３のいずれか一項に記載の使い捨てパンツタイプ吸収性物品（１）。
【請求項１５】
前記第１の少なくとも部分的に弾性である領域（１１）の前記ラミネートウェブ材料の前記弾性化パート（３９）が、前記吸収性コア（５）の前記長手方向コア縁部（１４）と重なり合う、請求項１から１２のいずれか一項に記載の使い捨てパンツタイプ吸収性物品（１）。
【請求項１６】
前記前方パネル（３）および前記後方パネル（４）が前記吸収性インサート（２）により互いに相互接続される個別のパートで作られ、前記前方パネル（３）が１１０〜４００ｍｍの間の前記長手方向（Ｙ）の長さ（Ｌ２）を有する、請求項１から１５のいずれか一項に記載の使い捨てパンツタイプ吸収性物品（１）。
【請求項１７】
前記第１の少なくとも部分的に弾性である領域（１１）が、５〜３０ｍｍ、具体的には９〜２５ｍｍ、またはより具体的には１０〜２０ｍｍの、前記長手方向（Ｙ）の長さを有する、請求項１から１６のいずれか一項に記載の使い捨てパンツタイプ吸収性物品（１）。
【請求項１８】
前記吸収性コア（５）の前半分および前記吸収性コア（５）の後ろ半分の流体吸収キャパシティの比が、少なくとも５５／４５、具体的には少なくとも６０／４０である、請求項１から１７のいずれか一項に記載の使い捨てパンツタイプ吸収性物品（１）。
【請求項１９】
前記吸収性コア（５）の前記最大幅が前記横方向（Ｘ）において１２０〜２００ｍｍの間であり、前記吸収性コア（５）の最小幅が、前記横方向（Ｘ）において、６０ｍｍ、より具体的には８０ｍｍである、請求項１から１８のいずれか一項に記載の使い捨てパンツタイプ吸収性物品（１）。
【請求項２０】
前記前方パネル（３）の前記ラミネートウェブ材料が、前記腰部縁部（２０）に隣接して位置する、主として前記横方向（Ｘ）に延在する第３の少なくとも部分的に弾性である領域（１３）を有する、請求項１から１９のいずれか一項に記載の使い捨てパンツタイプ吸収性物品（１）。
【請求項２１】
前記吸収性コア（５）がパルプ繊維および超吸収性粒子を備える、請求項１から２０のいずれか一項に記載の使い捨てパンツタイプ吸収性物品（１）。
【請求項２２】
前記吸収性コア（５）の外側に位置する前記吸収性インサート（２）のエリアが、パルプ繊維および超吸収性粒子を実質的に有さない、請求項１から２１のいずれか一項に記載の使い捨てパンツタイプ吸収性物品（１）。
【請求項２３】
長手方向（Ｙ）および横方向（Ｘ）を有する、パンツおむつ、サニタリーパンツ、または失禁用パンツなどの、使い捨てパンツタイプ吸収性物品（１）を製造するための方法であって、前記使い捨てパンツタイプ吸収性物品（１）が男性使用者に適合し、前記使い捨てパンツタイプ吸収性物品（１）が、
腰部縁部（２０）と、一対の脚部縁部（２１ａ、２１ｂ）と、一対の側部縁部（９ａ、９ｂ）とを有する、ラミネートウェブ材料で作られる前方パネル（３）と、
腰部縁部（２５）と、一対の脚部縁部（２７ａ、２７ｂ）と、一対の側部縁部（１０ａ、１０ｂ）とを有する後方パネル（４）と、
前記使い捨てパンツタイプ吸収性物品（１）の股部分の中に主として位置し、前記前方パネル（３）および前記後方パネル（４）に接続され、吸収性コア（５）を有する、吸収性インサート（２）と、
を備え、
前記吸収性コア（５）が、前記長手方向（Ｙ）における前記吸収性コア（５）の全長（Ｌ５）の３分の１である前記長手方向（Ｙ）における長さ（Ｌ２）を有する、前方コア縁部（１５）から延在する前方セグメント（１７）と、前記長手方向（Ｙ）における前記吸収性コア（５）の全長（Ｌ５）の３分の１である前記長手方向（Ｙ）における長さ（Ｌ３）を有する、後方コア縁部（１６）から延在する後方セグメント（１８）と、前記長手方向（Ｙ）における前記吸収性コア（５）の全長（Ｌ５）の３分の１である前記長手方向（Ｙ）における長さ（Ｌ４）を有する、前記前方セグメント（１７）と前記後方セグメント（１８）との間に位置する中間セグメント（１９）と、
を有し、
前記方法が、
−  前記前方セグメント（１７）内に幅広部分（２２）を備える前記吸収性コア（５）を提供するステップであって、前記幅広部分（２２）が、前記後方セグメント（１８）の中の前記吸収性コア（５）の前記横方向（Ｘ）における最大幅（Ｗ２）より少なくとも１．１倍大きい前記横方向（Ｘ）の幅（Ｗ１）を有する、ステップと、
−  主として前記横方向（Ｘ）に延在する第１の少なくとも部分的に弾性である領域（１１）を備え、前記前方パネル（３）の前記脚部縁部（２１ａ、２１ｂ）に隣接して位置する、前記前方パネル（３）の前記ラミネートウェブ材料を提供するステップと、
−  主として前記横方向（Ｘ）に延在する第２の少なくとも部分的に弾性である領域（１２）を備え、第１の弾性領域（１１）の隣に位置して前記前方パネル（３）の前記腰部縁部（２０）の近くにある、前記前方パネル（３）の前記ラミネートウェブ材料を提供するステップと、
−  少なくとも１つの構造的弾性特性に関して、前記第２の少なくとも部分的に弾性である領域（１２）から、前記第１の少なくとも部分的に弾性である領域（１１）を区別する、前記少なくとも１つの構造的弾性特性を備える前記第１の少なくとも部分的に弾性である領域（１１）を提供するステップと、
−  前記第１の少なくとも部分的に弾性である領域（１１）の前記ラミネートウェブ材料の弾性化パート（３９）、または前記第１の少なくとも部分的に弾性である領域（１１）の前記ラミネートウェブ材料の前記弾性化パート（３９）の内側仮想延在部分（２３）を構成し、したがって、それが前記前方セグメント（１７）の前記幅広部分（２２）内で長手方向コア縁部（１４）と交差する、ステップと、
を含む方法。
【発明の詳細な説明】
【技術分野】
【０００１】
本開示は、長手方向および横方向を有する、パンツおむつ、サニタリーパンツ、または失禁用パンツなどの、使い捨てパンツタイプ吸収性物品(disposable pant-type absorbent article)に関し、ここでは、上記使い捨てパンツタイプ吸収性物品が男性使用者に適合する。本開示は、使い捨てパンツタイプ吸収性物品の製造の方法にさらに関する。
【背景技術】
【０００２】
使い捨てパンツタイプ吸収性物品の分野では、高い快適性および高いフィット感さらには別個のものとしての下着様の外観を有する吸収性物品を提供することが一般に望まれている。男性と女性との間の解剖学的違いを理由として、一種類のみの吸収性物品を有しておくことが常に適切であるというわけではない。したがって、快適性、フィット感、および別個のものとしての下着様の外観に関してのさらなる改善が望まれる。
【先行技術文献】
【特許文献】
【０００３】
【特許文献１】国際出願番号ＰＣＴ／ＳＥ２０１６／０５１２２１
【特許文献２】国際公開第２０１４／０９８６８３号
【発明の概要】
【発明が解決しようとする課題】
【０００４】
本開示の目的は、上で言及した要望に対処する、男性使用者に適合する、使い捨てパンツタイプ吸収性物品を提供することである。この目的が、少なくとも部分的に、独立請求項の特徴によって達成される。本開示の変形形態を従属請求項で見ることができる。
【課題を解決するための手段】
【０００５】
本開示は、長手方向および横方向を有する、パンツおむつ、サニタリーパンツ、または失禁用パンツなどの、使い捨てパンツタイプ吸収性物品に関連する。使い捨てパンツタイプ吸収性物品が男性使用者に適合し、腰部縁部と、一対の脚部縁部と、一対の側部縁部とを有するラミネートウェブ材料で作られる前方パネルを備える。この物品が、腰部縁部と、一対の脚部縁部と、一対の側部縁部とを有する後方パネルをさらに備える。吸収性インサートが主として吸収性物品の股部分の中に位置し、前方パネルおよび後方パネルに接続され、長手方向コア縁部と、前方コア縁部と、後方コア縁部とを備える吸収性コアを有する。コアが、長手方向におけるコアの全長の30%である長手方向における長さを有して前方コア縁部から延在する前方セグメントと、長手方向におけるコアの全長の30%である長手方向における長さを有して後方コア縁部から延在する後方セグメントと、長手方向におけるコアの全長の40%である長手方向における長さを有して前方セグメントと後方セグメントとの間に位置する中間セグメントと、を有する。コアが前方セグメント内に幅広部分を有し、幅広部分が、後方セグメントの中のコアの横方向における最大幅より少なくとも1.1倍大きい横方向の幅を有する。前方パネルのラミネートウェブ材料が、主として横方向に延在して前方パネルの脚部縁部に隣接して位置する第1の少なくとも部分的に弾性である領域と、主として横方向に延在して第1の弾性領域の隣に位置して前方パネルの腰部縁部のより近くにある第2の少なくとも部分的に弾性である領域とを有する。少なくとも1つの構造的弾性特性（structural elastic feature）に関して、第1の少なくとも部分的に弾性である領域が第2の少なくとも部分的に弾性である領域から区別される。第1の少なくとも部分的に弾性である領域のラミネートウェブ材料の弾性化パート、または第1の少なくとも部分的に弾性である領域のラミネートウェブ材料の弾性化パートの内側仮想延在部分が、コアの上記幅広部分内で長手方向コア縁部と交差する。
【０００６】
本開示の1つの利点は、上記による製品が解剖学的に男性使用者に適合することである。男性生殖器の解剖学的構造により、男性使用者の放尿のロケーションが、女性使用者と比較して、吸収性製品のより前方の方に配置され、また、女性使用者の場合のように特定されることもない。男性使用者の放尿は、女性使用者と比較して、ペニスの向きに応じてより大きいエリアにわたって行われる可能性がある。また、男性使用者の動きを理由として、吸収性製品の使用中にペニスの向きがシフトする可能性がある。前方セグメントの幅広部分が、放尿の可能性が最も高いところでの吸収性物品のパートにおいてコアをより幅広にするのを保証する。これにより、コアにより放尿が吸収され、コアの外側に落下しないようになる、可能性を増大させる。
【０００７】
構造的弾性特性とは、第1の少なくとも部分的に弾性である領域のラミネートウェブ材料の弾性化パートが、第2の少なくとも部分的に弾性である領域のラミネートウェブ材料の弾性化パートより、横方向において所与の延伸量でより大きい引張応力を有する、ことであってよい。
【０００８】
加えて、ラミネートウェブ材料の第1の少なくとも部分的に弾性である領域の弾性化パートのより大きい引張応力が幅広部分の中の長手方向コア縁部と直接に交差するか、または第1の少なくとも部分的に弾性である領域の弾性化パートの内側仮想延在部分が幅広部分の中の長手方向コア縁部と交差することにより、吸収性物品の脚部縁部が収縮して使用者の脚に対して密なフィット感を提供することが保証され、同時にコアの幅広部分が実質的に横方向に延伸させられることが保証される。これにより、吸収性物品からの漏洩のリスクがさらに低減される。
【０００９】
別法としてまたは加えて、第2の少なくとも部分的に弾性である領域から区別される、第1の少なくとも部分的に弾性である領域を作る構造的弾性特性が、隣り合う弾性スレッドの間のスペーシングとなり得る。弾性領域の得られる収縮強度が、通常は、隣り合う弾性スレッドの間のスペーシングの関数であり、ここでは、スペーシングが小さいと引張応力が増大する。
【００１０】
別法としてまたは加えて、第2の少なくとも部分的に弾性である領域から区別される第1の少なくとも部分的に弾性である領域を作る構造的弾性特性が、弾性スレッドの質量密度となり得る。高い質量密度を有する弾性スレッドは、通常、大きい引張応力を有する。
【００１１】
別法としてまたは加えて、第2の少なくとも部分的に弾性である領域から区別される第1の少なくとも部分的に弾性である領域を作る構造的弾性特性は、平坦な非寄せ集め状態において前方パネルを備える弾性スレッドの延伸レベルとなり得る。自然な状態のスレッドの長さと比較して高い延伸レベルを有するような、前方パネルの弾性ラミネートに適用されて固定される弾性スレッドにより、通常、弾性ラミネートの引張応力が増大する。
【００１２】
コアの前方セグメントが、後方セグメントの面積と比較して、少なくとも1.1倍、具体的には少なくとも1.2倍、より具体的には少なくとも1.3倍の大きさの面積を有することができる。コアの後方セグメントの面積と比較してコアの前方セグメントの面積が大きいことの1つの利点は、放尿の可能性の最も高いところのコアの面積が最大となることである。これにより、コアにより放尿が吸収されることになる可能性がさらに増大し、さらにはコアの外側に落下しなくなる。
【００１３】
幅広部分が、30〜200ミリメートル、具体的には40〜180ミリメートル、より具体的には50〜160ミリメートルの範囲の長手方向の長さを有することができる。この長さは男性解剖学的構造の変化の大分部に合うように適合される。
【００１４】
幅広部分が、コアの前方セグメントの長さの、20〜130%、具体的には25〜120%、より具体的には30〜100%の範囲の長手方向の長さを有することができる。この長さは男性解剖学的構造の変化の大分部に合うように適合される。
【００１５】
幅広部分が、後方セグメント内の、コアの横方向の最大幅の、少なくとも1.2倍、具体的には少なくとも1.3倍大きい、横方向の幅を有することができる。幅が大きいことで、コアの幅広部分の範囲内での放尿の落下の可能性が増大する。
【００１６】
第1の少なくとも部分的に弾性である領域のラミネートウェブ材料の弾性化パートが、前方パネルの側方縁部に隣接する外側端部から、コアから離間されて位置する内側端部まで延在することができ、第1の少なくとも部分的に弾性である領域のラミネートウェブ材料の弾性化パートの内側仮想延在部分が、第1の少なくとも部分的に弾性である領域のラミネートウェブ材料の弾性化パートの線形部分の内側端部から線形的に延在することができるか、または第1の少なくとも部分的に弾性である領域のラミネートウェブ材料の弾性化パートの湾曲部分の内側端部から接線方向に延在することができる。
【００１７】
コアの幅広部分が、第1の少なくとも部分的に弾性である領域のラミネートウェブ材料の弾性化パート、または第1の少なくとも部分的に弾性である領域のラミネートウェブ材料の弾性化パートの内側仮想延在部分が、長手方向コア縁部に交差する位置の下方においてコアの前方セグメントの長さの少なくとも20%に相当する距離で延在することができる。これが、放尿の可能性をコアによって吸収することになるようにおよび放尿をコアの外側に落下させることがないように幅広部分を成形するのを補助する。
【００１８】
コアの幅広部分が、第1の少なくとも部分的に弾性である領域のラミネートウェブ材料の弾性化パート、または第1の少なくとも部分的に弾性である領域のラミネートウェブ材料の弾性化パートの内側仮想延在部分が、長手方向コア縁部と交差する位置の上方においてコアの前方セグメントの長さの少なくとも20%に相当する距離で延在することができる。これが、放尿の可能性をコアによって吸収することになるようにおよび放尿をコアの外側に落下させることがないように幅広部分を成形するのをさらに補助する。
【００１９】
横方向における前方コア縁部に隣接するコアの幅が、コアの前方セグメントの残りの部分における横方向のコアの幅より小さくてよい。これが、放尿の可能性をコアによって吸収することになるようにおよび放尿をコアの外側に落下させることがないように幅広部分を成形するのをさらに補助する。
【００２０】
横方向において前方コア縁部に隣接するコアの幅が、横方向におけるコアの後方セグメント内のコアの少なくとも一部分の幅に等しくてよい。これによりコアの製造を単純化し、コアの製造中の無駄が低減される。
【００２１】
第2の少なくとも部分的に弾性である領域のラミネートウェブ材料の弾性化パートが、長手方向において30mm以下で、また具体的には20mm以下で前方コア縁部から延在する吸収性コアの前方セグメントの一エリアにわたって延在することでき、その結果、吸収性物品の使用中に前方コア縁部が使用者の方に押圧される。これが、放尿の可能性をコアによって吸収することになるようにおよび放尿をコアの外側に落下させることがないように幅広部分を成形するのをさらに補助する。
【００２２】
吸収性物品が、男性使用者の生殖器を受けるように構成される前方セグメントを備えることができ、第1の少なくとも部分的に弾性である領域のラミネートウェブ材料の弾性化パートが前方セグメントの横側上を延在するが、前方セグメントの上を完全に延在するわけではなく、それにより、物品の使用中に前方セグメント内の吸収性コアが外側に隆起することが可能となる。吸収性物品が、前方セグメントの横側に沿うサイドギャザー効果を得ることを目的として、前方セグメントの各横側に対して実質的に長手方向において取り付けられる少なくとも1つの細長い側方弾性要素をさらに備え、その結果、前方セグメント内の吸収性コアが、側方弾性要素の影響下で、物品の使用中に外側に隆起するように適合され、それにより男性使用者の生殖器を受けるための内部ポケットを形成する。弾性パートおよび側方弾性要素のこの構成が、「カップ」形状またはバルジ形状の吸収性インサートおよび/または吸収性コアを提供し、それにより男性生殖器を「カップ」形状またはバルジ形状の内側に合うようにする。これが、放尿の可能性をコアによって吸収することになるようにおよび放尿をコアの外側に落下させることがないように幅広部分を成形するのをさらに補助する。
【００２３】
第1および/または第2の少なくとも部分的に弾性である領域のラミネートウェブ材料の弾性化パートが、長手方向コア縁部の手前で終端してよい。
【００２４】
第1の少なくとも部分的に弾性である領域のラミネートウェブ材料の弾性化パートが、吸収性コアの長手方向コア縁部と重なり合ってよい。
【００２５】
前方パネルおよび後方パネルが吸収性インサートにより互いに相互接続される個別のパートで作られ得、ここでは、前方パネルが110〜400mmの間の長手方向の長さを有することができる。
【００２６】
第1の少なくとも部分的に弾性である領域が、5〜30mm、具体的には9〜25mm、またはより具体的には10〜20mmの、長手方向の長さを有することができる。
【００２７】
吸収性コアの前半分および吸収性コアの後ろ半分の流体吸収キャパシティの比は、少なくとも55/45、具体的には少なくとも60/40であってよい。後ろ半分と比較して前半分の流体の放出の可能性が増すことで、流体吸収キャパシティの配分が、最大限の必要時に十分な吸収キャパシティを提供するために、これを反映させる。
【００２８】
吸収性コアの最大幅が横方向において120〜200mmの間であってよく、吸収性コアの最小幅が、横方向において、60mm、より具体的には80mmであってよい。これらの測定値は、大部分の男性使用者の解剖学的構造に合うように適合される。
【００２９】
前方パネルのラミネートウェブ材料が、腰部縁部に隣接して位置する、主として横方向に延在する第3の少なくとも部分的に弾性である領域を有することができる。
【００３０】
吸収性コアがパルプ繊維および超吸収性粒子を備えることができる。
【００３１】
吸収性コアの外側に位置する吸収性インサートのエリアが、パルプ繊維および超吸収性粒子を実質的に有さなくてよい。
【００３２】
本開示は、長手方向および横方向を有する、パンツおむつ、サニタリーパンツ、または失禁用パンツなどの、使い捨てパンツタイプ吸収性物品を製造するための方法にさらに関連し、ここでは、使い捨てパンツタイプ吸収性物品が男性使用者に適合する。この物品が、腰部縁部と、一対の脚部縁部と、一対の側部縁部とを有する、ラミネートウェブ材料で作られる前方パネル、ならびに腰部縁部と、一対の脚部縁部と、一対の側部縁部とを有する後方パネルを備える。吸収性インサートが主として吸収性物品の股部分の中に位置し、前方パネルおよび後方パネルに接続され、吸収性コアを有する。コアが、長手方向におけるコアの全長の3分の1である長手方向における長さを有する、前方コア縁部から延在する前方セグメントと、長手方向におけるコアの全長の3分の1である長手方向における長さを有する、後方コア縁部から延在する後方セグメントと、長手方向におけるコアの全長の3分の1である長手方向における長さを有する、前方セグメントと後方セグメントとの間に位置する中間セグメントと、を有する。この方法が、
-  前方セグメント内に幅広部分を備えるコアを提供することであって、幅広部分が、後方セグメントの中のコアの横方向における最大幅より少なくとも1.1倍大きい横方向の幅を有する、提供することと、
-  主として横方向に延在する第1の少なくとも部分的に弾性である領域を備え、前方パネルの脚部縁部に隣接して位置する、前方パネルのラミネートウェブ材料を提供することと、
-  主として横方向に延在する第2の少なくとも部分的に弾性である領域を備え、第1の弾性領域の隣に位置して前方パネルの腰部縁部の近くにある、前方パネルのラミネートウェブ材料を提供することと、
-  少なくとも1つの構造的弾性特性に関して、第2の少なくとも部分的に弾性である領域から、第1の少なくとも部分的に弾性である領域を区別する、少なくとも1つの構造的弾性特性を備える第1の少なくとも部分的に弾性である領域を提供することと、
-  第1の少なくとも部分的に弾性である領域のラミネートウェブ材料の弾性化パート、または第1の少なくとも部分的に弾性である領域のラミネートウェブ材料の弾性化パートの内側仮想延在部分を構成し、したがって、それが前方セグメントの上記幅広部分内で長手方向コア縁部と交差することと、を含む。
【００３３】
この方法が上述の物品と同じ利点を呈する。
【図面の簡単な説明】
【００３４】
【図１ａ】本開示による吸収性物品を示す斜視図である。
【図１ｂ】本開示による代替の吸収性物品を示す斜視図である。
【図２】分解されて平坦状態の図1の吸収性物品を示す図である。
【図３】図2の代替的実施形態を示す詳細図である。
【図４ａ】本開示によるコア形状の実施例を示す図である。
【図４ｂ】本開示によるコア形状の実施例を示す図である。
【図４ｃ】本開示によるコア形状の実施例を示す図である。
【図４ｄ】本開示によるコア形状の実施例を示す図である。
【図５】コアの例示の実施形態の前方セグメントおよび後方セグメントの表面エリアを示す図である。
【図６】本開示による吸収性物品の代替的実施形態を示す斜視図である。
【発明を実施するための形態】
【００３５】
本明細書において以下で、同様の参照符号が同様の要素を示している、本開示を例示して本開示を限定するものではない添付図面と併せて、本開示の種々の態様を説明する。説明される態様の変形形態は具体的に示される実施形態に限定されず、本開示の他の変形形態にも適用可能である。サイズおよび距離は必ずしも正確な縮尺ではなく、説明のために強調される可能性がある。
【００３６】
図面の図1aでは、成人使用者のために特に適合される使い捨てパンツタイプ吸収性物品1の例示の実施形態が、組み立てられて使用の準備の整った状態で概略的に示されている。パンツタイプ吸収性物品1が、例えば、成人男性使用者の使用のために適合される、パンツおむつ、サニタリーパンツ、または失禁用パンツなどである。図1aの例示の実施形態によるパンツタイプ吸収性物品1が、前方パネル3と、後方パネル4と、吸収性物品1の股部分内に主として位置して、前方パネル3と後方パネル4と間の隙間を架橋するために前方パネル3および後方パネル4の内側サイドに接続される吸収性インサート2と、を有する2部片シャシーを備える。吸収性インサート2が、体液を吸収するための吸収性コア5を備える。吸収性コア5が1部片で作られて単層を備えることができるか、または2つ以上の重ね合わされる吸収性層から構成され得る。
【００３７】
要するに、パンツタイプ吸収性物品1の製造が、完成品の吸収性物品1の前方パネル3および後方パネル4を形成することになるラミネート弾性ウェブ材料の2つの平行な連続するストリップを最初に製造することによって実施される。
【００３８】
前方パネル3および後方パネル4のラミネート弾性ウェブ材料の製造が、通常、例えば実質的に非弾性の不織布材料などの、第1および第2の連続する実質的に非弾性のシートウェブ材料を機械方向に沿って送ることにより、また同時に互いに平行に配置される複数の連続する弾性スレッドを送ることにより、実施される。次いで、第1および第2のシートウェブ材料が、第1のシートと第2のシートとの間に位置する複数の連続する弾性スレッドを用いて互いに接合される。
【００３９】
弾性スレッドが、張力を受けた状態で、ウェブ材料と平行に、第1および第2のシートに取り付けられる。機械方向すなわち横方向Xに平行に配置される弾性スレッドが、例えば、張力を受けた状態で弾性スレッドをウェブ材料に固定する前に弾性スレッドに適用される接着剤を有することができる。別法として、ウェブ材料自体が、弾性スレッドをウェブ材料に固着するためにウェブ材料に適用される接着剤を有することができる。後者の場合、吸収性物品1の横方向の長さ全体にわたって弾性スレッドが湾曲構成を有するような場合に特に有利である。結果として、完成したラミネート弾性ウェブが、弾性スレッドをそれらの自然な状態に戻すのを可能にしながら寄り集まることになる。
【００４０】
しかし、この方法は、弾性スレッドが張力を受けた状態を維持させながら、ラミネート弾性ウェブの2つの平行な連続するストリップの間の隙間の中に完成した吸収性インサート2を配置するステップをさらに含み、その結果、吸収性インサート2が両方の上記ストリップに部分的に重なり合い、次いで吸収性インサート2を上記ストリップに固着する。したがって、吸収性インサート2が、前方パネル3および後方パネル4とは別個に製造され、次いで、適切な製造ステップで上記パネル3、4のところに配置されて固定される。
【００４１】
この製造方法が、平坦な前方部分および/または平坦な後方部分のデザインを実現するステップを任意選択で含むことができる。これが、弾性スレッドが前方パネルおよび/または後方パネルの中央エリアに接着剤を有さないようにすることと、前方パネル/後方パネルの中央部分内に位置する弾性スレッドの断続的な動作を実施することと、を伴うことになり、その結果、前方パネル3および/または後方パネル4の中央部分内に位置して接着剤を有さない弾性スレッドの部分が、周りのウェブ材料に寄せ集め効果を作用させることなく、張力を受けていないそれらの自然な状態に戻ることが可能となり、それにより前方パネル3および/または後方パネル4の所望の領域のところに平坦なエリアを作ることができるようになる。このような平坦なエリアは、通常、前方パネル3および/または後方パネル4に対して吸収性コア5が重なり合うところのエリア内にあることが望ましい。その理由は、吸収性コア5上のアクティブな弾性スレッドの寄せ集め効果が、吸収性コア5の吸収キャパシティに対して悪影響を与えると考えられ得るからである。別法として、第2のロケーションにある弾性手段が、横方向においてパンツ物品1を横断する弾性スレッドとして適用されている可能性がある。この弾性手段はコア5のエリアを無効にするかまたは切断するものである。また、前方セクションの下側エリア内の弾性手段も同様に無効にされる。弾性スレッドを無効にする1つの手法が特許文献１に開示されている。
【００４２】
ラミネート弾性ウェブの2つの平行な連続するストリップに対して吸収性インサート2を固着した後、連続する材料バンドの全体が、吸収性インサート2の横方向Xに実質的に延在する折り畳み線のところで折り畳まれ、その結果、ラミネート弾性ウェブの2つの平行な連続するストリップが折り畳み後に重ね合わされる。その後、ラミネート弾性ウェブの2つの平行な連続するストリップが、例えば超音波溶接を使用して、材料バンドに沿う所定の固定されるインターバルのところの離散的なロケーションのところで互いに接合され、それにより完成した吸収性物品1のサイドシーム6a、6bを形成する。その結果、前方パネル3の側部縁部(図示せず)が後方パネル4の両側の側部縁部(図示せず)に永久的に取り付けられ、それにより組み立てられて完成した吸収性物品1のサイドシーム6a、6bを形成し、さらにそれにより腰部開口部7および一対の脚部開口部8を画定する。
【００４３】
最後のステップで、連続する材料バンドが、サイドシーム6a、6bの中のまたはそれに隣接するエリア内で機械交差方向に切断され、それにより、折り畳まれた連続する材料バンドを個別の吸収性物品1へと変形させる。前方パネル3および後方パネル4のラミネート弾性ウェブ材料が横方向Xにおいて引き伸ばされた状態で保持されていない場合、サンドイッチ状の弾性スレッドがウェブ材料を寄せ集めることになり、つまり、横方向Xに収縮させることになり、ラミネート弾性ウェブ材料の中に小さい起伏を形成する。このような弾性ウェブ材料のための例示の製造プロセスが、その全体を参照する特許文献２により詳細に説明されている。
【００４４】
図面の図1bでは、成人使用者のために特別に適合される使い捨てパンツタイプ吸収性物品1の第2の例示の実施形態が、組み立てられて使用の準備の整った状態で概略的に示されている。図1aおよび図1bの物品の間の違いは、図1bの物品1が1部片シャシーを備え、つまり、前方パネル3および後方パネル4を相互接続する一体に形成される股領域を有する同じ単一部片のウェブ材料に属する前方パネル3および後方パネル4を備えることである。
【００４５】
図面の図2では、使い捨てパンツタイプ吸収性物品1の同じ例示の実施形態が平坦な組み立てられていない状態で概略的に示されており、ここでは、サイドシーム6a、6b内で前方パネル3および後方パネル4の両側の側部縁部9a、9b、10a、10bが互いに取り付けられていない。これは、例えば、完成した吸収性物品1のサイドシーム6a、6bを分割してパンツタイプ吸収性物品1を平坦な状態へと広げることにより、実現され得る。パンツタイプ吸収性物品1は、広げられた平坦な状態では、吸収性インサート2の延伸方向に実質的に平行である長手方向Yを有する。横方向Xが長手方向Yに対して垂直である。
【００４６】
図1および図2に示される例示の実施形態のパンツタイプ吸収性物品1が、腰部縁部20と、一対の脚部縁部21a、21bと、一対の側部縁部9a、9bとを有する前方パネル3を備える。前方パネル3が概略長方形形状を有し、横方向Xにおける前方パネル3の全長が、通常、約550〜790mmの範囲内にあり、長手方向Yにおける前方パネル3の全長が、通常、吸収性物品1のサイズに応じて、約110〜400mmの範囲内にある。長方形形状前方パネル3がコスト効率の高い製造を可能にする。その理由は、さらに、前方パネル3のすべての弾性スレッドが吸収性物品1の横方向に配置され得、つまり製造機械の機械方向に沿って配置され得るからである。直線状の弾性スレッドが複雑さの低い製造設備を必要とし、弾性スレッドを固着するための接着剤が、パネルを形成するためにウェブ材料のシートおよび弾性スレッドを一体に積層する前に、弾性スレッド上の直接に供給され得る。さらに、長方形形状前方パネル3は、ラミネートウェブ材料のシートから複雑な二次元形状を例えば切り抜くことにより生じる廃品材料を少なくして製造を行うのも可能にする。
【００４７】
前方パネル3のラミネートウェブ材料が、前方パネル3の脚部縁部21a、21bに沿って延在する第1の少なくとも部分的に弾性である領域11を備え、それにより脚部弾性領域を画定する。第1の少なくとも部分的に弾性である領域11が第1の領域11の全幅にわたって弾性化され得る。別法として、第1の少なくとも部分的に弾性である領域11が、コア5の望ましくない変形およびコア5の収縮を回避するために実質的に非弾性化のコア5と重なり合う第1の領域11のエリアを維持しながらコア5の横側で弾性化され得る。コア5と重なり合う第1の領域11のエリアが、そのエリア内の弾性スレッドを無効にすることにより、または物品の製造中にそのエリアを弾性特性を有さないように維持することにより、実質的に非弾性化とされ得る。
【００４８】
前方パネル3のラミネートウェブ材料が、第1の少なくとも部分的に弾性である領域11の隣に位置して前方パネル3の腰部縁部20の方にある第2の少なくとも部分的に弾性である領域12をさらに備える。第2の少なくとも部分的に弾性である領域12は弾性腹部領域とも称され得る。その理由は、第2の少なくとも部分的に弾性である領域12が、第2の少なくとも部分的に弾性である領域12のサイズに応じて、使用者の腹部の上を延在する可能性があるからである。第2の少なくとも部分的に弾性である領域12が、第2の領域12の全幅にわたって弾性化され得る。別法として、第2の少なくとも部分的に弾性である領域12がコア5の横側で弾性化され得、ここでは、コア5に重なり合う第2の領域12のエリアを、コア5の望ましくない変形および収縮を回避するために実質的に非弾性化として維持する。
【００４９】
前方パネル3のラミネートウェブ材料が主として横方向Xに延在する第3の少なくとも部分的に弾性である領域13を有し、これが腰部縁部20に隣接して位置する。したがって、第3の少なくとも部分的に弾性である領域13は腰部弾性領域とも称され得る。
【００５０】
少なくとも1つの構造的弾性特性に関して、第1の少なくとも部分的に弾性である領域11が第2の少なくとも部分的に弾性である領域12から区別される。例えば、構造的弾性特性とは、第1の少なくとも部分的に弾性である領域11のラミネートウェブ材料の弾性化パート39が、第2の少なくとも部分的に弾性である領域12のラミネートウェブ材料の弾性化パートと比較して、横方向Xにおいて所与の延伸量でより大きい引張応力を有することができる、ということであってよい。任意の少なくとも部分的に弾性である領域11、12の弾性化パート39は、弾性がアクティブであり取り付けられているところのシート材料に寄せ集め効果を作用させるような、ラミネートウェブ材料のパートである。所与の延伸量での引張応力は、弾性化パート39の位置しているところの材料を弾性化パート39が寄せ集めるときの平方面積あたりの引張力(N/m2)を意味する。
【００５１】
任意の弾性ウェブ材料の引張応力は、例えば、Instron Tester(Instron 5564、Instron corp.)などの引張試験機を使用して測定され得る。所与の延伸量での、横方向Xにおける、第1の少なくとも部分的に弾性である領域11のラミネートウェブ材料の弾性化パートの引張応力を、第2の少なくとも部分的に弾性である領域12のラミネートウェブ材料の弾性化パートの引張応力と比較するために、第1の弾性領域の弾性化パートから第1のサンプルを切断して、おむつ横方向Xの一定の長さと、おむつ長手方向Yの一定の幅とを有する第1の試験片とする。同様に、第2のサンプルが第2の弾性領域の弾性化パートから切断され、第1のサンプルと等しいサイズを有する第2の試験片とする。サンプルの長さ方向の端部分が各側でクランプされ、サンプルの長さ方向において引張試験が実行される。切断された部片がクランプ距離より長くあるべきであり、弾性材料がクランプエリアに存在するべきである。
【００５２】
試験片に対して外力の作用しないクランプの間の距離Pと、試験片を最大限に引き伸ばすところのクランプの間の距離Qに基づいて、(P+Q)/2によって示されるクランプ間の距離で試験片が1分間引き伸ばされる。1分後、断面平方面積あたりの収縮力としてクランプの間の引張応力が測定され、ここでは、サンプルの断面平方面積が、サンプルの幅Bとサンプルの平均ウェブ材料厚さとの乗算によって計算される。異なる引張試験の結果が比較される。
【００５３】
適切な幅Bは例えば20mmであるが、第1の弾性領域が20mm未満の長手方向Yにおける長さを有する場合にはこれはより短くてよい。ここでは、幅Bがおむつ長手方向Yの第1の弾性領域の長さに相当する。試験片の適切な長さLは例えば350mmであってよい。
【００５４】
クロスヘッド速度および周囲条件などの、等しい所定の試験条件下で、弾性ウェブ材料の各サンプルに対して引張試験が実施される。
【００５５】
第2の弾性領域と比較して隣接する弾性スレッドの間でより密なスペーシングを有することにより、および/または第2の弾性領域と比較してより高い質量密度を有する第1の弾性領域内に弾性スレッドを有することにより、ならびに/あるいは第2の弾性領域と比較して第1の弾性領域内の弾性スレッドに対してより高いレベルの延伸を適用することにより、第1の弾性領域の弾性ウェブ材料がより高い引張強度を有することが達成され得る。
【００５６】
別法として、構造的弾性特性が、隣り合う弾性スレッド間のスペーシングであってよい。例えば、第1の少なくとも部分的に弾性である領域11の隣り合う弾性スレッドの間のスペーシングは、第2の少なくとも部分的に弾性である領域12のところにある隣り合う弾性スレッドの間のスペーシングより小さくてよい。これにより、通常、任意の所与の延伸量において、第1の少なくとも部分的に弾性である領域11のところの引張応力が大きくなる。
【００５７】
さらに別法として、構造的弾性特性が、弾性スレッドの質量密度であってよいか、または平坦な非寄せ集め状態において前方パネル3を有する弾性スレッドの延伸レベルであってもよい。
【００５８】
後方パネル4が、図1a、図1b、および図2に概略的に示されるように、腰部縁部25と、一対の脚部縁部27a、27bと、一対の側部縁部10a、10bとを備える。後方パネル4が、使用者の腰の方に位置することを意図される概略長方形形状のメインセクション28と、使用者の股の方に位置することを意図される概略台形形状の臀部カバーセクション29とから構成される形状を有することができる。もちろん、上記概略幾何形状の一定レベルの変形形態も可能である。例えば、上記セクション28、29の側部縁部が例えば非線形であってもよく、角部がより丸みを有してもよく、臀部カバーセクション29の横方向Xにおける全長が横方向Xにおけるメインセクション28の全長より小さくてもよい、などである。概略台形の臀部カバーセクション29が使用者のフィット感および快適性を向上させ、さらには下着様の外観を向上させる。
【００５９】
図1aから図2の例示の実施形態では、後方パネル4のメインセクション28が、長方形形状の前方パネル3に実質的に相当する形状を有する。言い換えると、後方パネル4のメインセクション28の長手方向Yにおける長さが長方形形状の前方パネル3の長手方向Yにおける長さと実質的に等しく、後方パネル4のメインセクション28の横方向Xにおける長さが長方形形状の前方パネル3の横方向Xにおける長さと実質的に等しい。
【００６０】
別の例示の実施形態によると、後方パネル4のメインセクション28の長手方向Yにおける長さがサイドシーム6a、6bの長手方向Yにおける長さと実質的に等しくてよい。
【００６１】
前方パネル3の第1の少なくとも部分的に弾性である領域11が、例えば約2から8ミリメートルの概略等間隔のインターバルで平行に配置される複数の弾性スレッドを備えることができ、例えば約4つから6つの弾性スレッドを備えることができる。弾性スレッドの各々が実質的に等しい質量密度を有することができ、これが例えば600から1200デシテックスの範囲内、具体的には750から1000デシテックスの範囲内にあってよい。
【００６２】
前方パネル3の第2の少なくとも部分的に弾性である領域12が吸収性物品1の腹部部分に通常相当し、例えば約5から13ミリメートルの概略等間隔のインターバルで平行に配置される複数の弾性スレッドを備えることができ、例えば約9個から27個の弾性スレッドを備えることができる。弾性スレッドの各々が実質的に等しい質量密度を有することができ、これが例えば350から900デシテックスの範囲内、具体的には500から700デシテックスの範囲内にあってよい。前方パネル3の下側エリアに関して、腹部部分内に隣り合う弾性スレッドの間に比較的大きいインターバルを有することにより、大きくて快適性の高い腹部部分が可能となる。
【００６３】
前方パネル3の第3の少なくとも部分的に弾性である領域13が、例えば約2から8ミリメートルの概略等間隔のインターバルで平行に配置される複数の弾性スレッドを備えることができ、例えば約4つから6つの弾性スレッドを備えることができる。弾性スレッドの各々が実質的に等しい質量密度を有することができ、これが例えば600から1200デシテックスの範囲内、具体的には750から1000デシテックスの範囲内にあってよい。
【００６４】
後方パネル4の上側領域31が、例えば約2から8ミリメートルの概略等間隔のインターバルで平行に配置される複数の弾性スレッドを備えることができ、例えば約4つから6つの弾性スレッドを備えることができる。弾性スレッドの各々が実質的に等しい質量密度を有することができ、これが例えば600から1200デシテックスの範囲内、具体的には750から1000デシテックスの範囲内にあってよい。
【００６５】
後方パネル4の中間領域32が、例えば約5から13ミリメートルの概略等間隔のインターバルで平行に配置される複数の弾性スレッドを備えることができ、例えば約7個から18個の弾性スレッドを備えることができる。弾性スレッドの各々が実質的に等しい質量密度を有することができ、これが例えば350から900デシテックスの範囲内、具体的には500から700デシテックスの範囲内にあってよい。
【００６６】
使用者の臀部の上を延在する後方パネル4の下側領域33が、例えば約10から30ミリメートルの概略等間隔のインターバルで平行に配置される複数の弾性スレッドを備えることができ、例えば約3つから9つの弾性スレッドを備えることができる。弾性スレッドの各々が実質的に等しい質量密度を有することができ、これが350から900デシテックスの範囲内、具体的には500から700デシテックスの範囲内にあってよい。
【００６７】
特定の弾性領域内の弾性スレッドの一様特性(例えば、前方パネル3の第1の少なくとも部分的に弾性である領域11)は隣り合うスレッドの間に等しいインターバルを有することができ、それにより隣り合う弾性スレッドの間に異なるインターバルを有する隣り合う弾性領域(例えば、前方パネル3の第2の少なくとも部分的に弾性である領域12)から区別される。別法として、特定の少なくとも部分的に弾性である領域内の弾性スレッドの一様特性が、等しい質量密度を有することであってもよく、それにより、その領域が、弾性スレッドの異なる質量密度を有する、隣り合う少なくとも部分的に弾性である領域から区別される。さらに別の代替形態によると、特定の少なくとも部分的に弾性である領域内の弾性スレッドの一様特性は、製造中の弾性スレッドの特定のレベルの弾性的伸びであってもよく、それにより、その領域が、製造中に弾性スレッドの異なる特定のレベルの弾性的伸びを有する、隣り合う少なくとも部分的に弾性である領域から区別される。
【００６８】
接着剤を有さないサイドシーム6a、6bを有することが有利である可能性があることから、連続する弾性スレッドが、吸収性物品1の製造中に、サイドシーム6a、6bのエリア内で、連続する材料バンドを個別の吸収性物品に分割するのに必要な切断動作時に、スナップバックすることになる。したがって、材料の狭い長手方向ストリップ24a、24bが、図2では取り付けられる弾性スレッドを有さずに示されている。したがって、第1の弾性領域11、第2の弾性領域12、および第3の弾性領域13が、図2に示されるように、前方パネル3の側部縁部9a、9bまで外側に必ずしも延在するわけではない。同様のことが後方パネル4でも行われ得る。
【００６９】
物品1が、吸収性物品1の股部分に主として位置して前方パネル3および後方パネル4に接続される吸収性インサート2を有する。インサート2が、長手方向コア縁部14と、前方コア縁部15と、後方コア縁部16とを備える吸収性コア5を備える。長手方向コア縁部14、前方コア縁部15、および後方コア縁部16が、一体に、コア5の外側ペリメータを画定する。前方コア縁部15および後方コア縁部16は、主として横方向Xを延在するかまたは横方向Xのみを延在するコア5の縁部を意味する。長手方向コア縁部14が、概して長手方向Yにおいて、前方コア縁部15と後方コア縁部16との間を延在するが、長手方向コア縁部14は、コアのデザインに応じて、局部的に他の向きを有することができる。
【００７０】
コア5が、長手方向Yにおけるコア5の全長L5の30%である長手方向Yにおける長さL2を有する、前方コア縁部15からコア5の後方を向いて延在する前方セグメント17と、長手方向Yにおけるコア5の全長L5の30%である長手方向Yにおける長さL3を有する、後方コア縁部16からコア5の前方の方を向いて延在する後方セグメント18と、長手方向Yにおけるコア5の全長L5の40%である長手方向Yにおける長さL4を有する、前方セグメント17と後方セグメント18との間に位置する中間セグメント19と、を有する。結果として、コア5が、離間された状態で横方向に延在する2つの平行な線によって画定される3つのセグメント17、18、19を備え、各々がコア5と交差する。
【００７１】
コア5が前方セグメント17内に幅広部分22を有する。幅広部分22が、後方セグメント18の中のコア5の横方向Xにおける最大幅W2より少なくとも1.1倍以上大きい横方向Xの幅W1を有する。言い換えると、後方セグメント18の中のコア5の横方向の最大幅W2より1.1倍大きい横方向の幅W1を有する前方セグメント17のすべてのパートが、1つまたは複数の幅広部分22を画定する。横方向の幅W1が幅広部分22の長さL1にわたって変化してよく、したがって必ずしも一定というわけではない。実際には、前方セグメント17がより大きい丸みを有してより長方形から外れた外側形状を有するところですぐに横方向の幅W1が幅広部分22の長さL1にわたって変化する傾向を有する。長さL1は、幅W1が後方セグメント18の中のコア5の横方向の最大幅W2より1.1倍以上大きいところの幅広部分22の長さとして定義される。図2では、後方セグメント18の中のコア5の横方向の最大幅W2より正確に1.1倍大きい限界幅11にW3が付される。したがって、幅広部分22の長手方向長さL1は、図2では、幅W3によって画定されかつ吸収性物品の長手方向中心線を基準として中心に配置される長手方向の線に対しての長手方向コア縁部14の交差位置によって画定される。
【００７２】
幅広部分22が中間セグメント19の中まで下方に延在することができる。幅広部分22は、通常、中間セグメント19の、50%未満、具体的には35%未満、より具体的には20%未満で延在する。
【００７３】
コア5が、通常、主として前方セグメント17の上に位置する単一の幅広部分22を備える。
【００７４】
吸収性コア5がパルプ繊維および超吸収性粒子を備える。吸収性コア5の外側に位置する吸収性インサート2のエリアが、製造中または輸送中のパルプおよび/または超吸収性粒子の可能性としての小さいレベルの位置のずれを除いて、パルプ繊維および超吸収性粒子を実質的に有さない。したがって、コア5のペリメータが容易に検出可能であり、したがって、コア5の横方向の幅がコア5の長手方向の全長にわたって容易に決定され得る。
【００７５】
第1の少なくとも部分的に弾性である領域11のラミネートウェブ材料の弾性化パート39がコア5の上記幅広部分22でコア5と交差する。このような交差は、コアの外側ペリメータのところで、つまりコアの外側縁部のところで行われる。第1の少なくとも部分的に弾性である領域11が主として横方向に延在することから、第1の少なくとも部分的に弾性である領域11のラミネートウェブ材料の弾性化パート39とコア5の幅広部分22との間の交差が長手方向コア縁部14のところで起こる。
【００７６】
第1の少なくとも部分的に弾性である領域11のラミネートウェブ材料の弾性化パート39、または第1の少なくとも部分的に弾性である領域11のラミネートウェブ材料の弾性化パート39の内側仮想延在部分23が、コア5の上記幅広部分22内でコア5と交差するということは、弾性化パート39が、コア5の上記幅広部分22内でコア5の縁部と交差するか、またはコア5の幅広部分内でコア5に隣接する、ことを意味する。
【００７７】
コア5が、長手方向コア縁部14に沿って延在する側方弾性要素30をさらに有することができる。側方弾性要素30は、コアの前方セグメントの横側に沿って側方寄せ集め効果を実現するように構成される。寄せ集め効果は、側方弾性要素30の領域内の吸収性コア5が側方弾性要素30の延在方向において収縮し得る、ことを意味する。前方セグメントの横側に沿う吸収性物品の材料のこの収縮効果が吸収性物品内に内部ポケットを形成するのを補助することになり、したがって、高い快適性を有して、漏洩に対して高い安全性を有する吸収性物品が生成される。
【００７８】
各細長い側方弾性要素30が、互いに平行に配置されて互いの間に隙間を有する、例えば、2つ、3つ、または4つの弾性スレッドなどの、1つまたは複数の個別の弾性スレッドを有することができる。長手方向Yにおける側方弾性要素30の長さは、4〜20センチメートル、具体的には5〜15センチメートル、より具体的には5〜10センチメートルの範囲内にあってよい。
【００７９】
側方弾性要素30が、後方セグメント18または中間セグメント19から前方コア縁部15の方に向かって延在してよい。前方コア縁部15から側方弾性要素30の縁部までの長手方向距離は30ミリメートル未満であってよく、具体的には15ミリメートル未満であってよい。また、側方弾性要素30は前方コア縁部15を越えて吸収性物品1の前方腰部縁部20の方に延在してよい。側方弾性要素30が、吸収性物品のシャシーに取り付けられ得るか、および/またはインサート2の横側に取り付けられ得るか、ならびに/あるいは吸収性コア5の横側に取り付けられ得る。
【００８０】
図2に示されるように、各細長い側方弾性要素30が、吸収性コア5の横側に沿って長手方向Yにおいて後方に延在するように設計され得、さらにそれにより、物品1の股セクション内に脚部開口部の周辺部に沿って脚部弾性部材を形成する。したがって、この構成は、吸収性コア5の各横側において長手方向に方向付けられる1部片の弾性部材30を組み合わせて使用するのを可能にし、その結果、別個の脚部弾性特性および内部ポケット寄せ集め弾性要素を設置することの必要性を回避することができ、それによりコストを節約することができ、製造を単純化することができる。別法として、側方弾性要素30が主としてコアの前方セグメント17のみに沿って延在してもよく、もう一方の側方弾性要素が、物品の股セクションの脚部開口部の周辺部に沿う所望の寄せ集め効果を達成するのに使用され得る。
【００８１】
図3が、図2の物品1の代替的実施形態の詳細図を示す。図3では、第1の少なくとも部分的に弾性である領域11のラミネートウェブ材料の弾性化パート39が、前方パネル3の側部縁部9a、9bに隣接する外側端部から、コア5から離間されて位置する内側端部26まで、延在する。第1の少なくとも部分的に弾性である領域11のラミネートウェブ材料の弾性化パート39の内側仮想延在部分23が、第1の少なくとも部分的に弾性である領域11のラミネートウェブ材料の弾性化パート39の線形部分の内側端部26から線形的に延在し、それにより幅広部分22においてコア5と交差する。
【００８２】
図4a〜図4dが、コア5の前方セグメント17内にある幅広部分22の代替的実施形態を示す。図4aが、幅広部分22の下側移行部分34を形成する丸みを有する縁部を有する幅広部分22と、幅広部分22の底部パート内のコア5の残りの部分とを示す。幅広部分22の中間パート36が下側移行部分34と上側移行部分35との間を延在し、長手方向Yにおいて実質的に直線状であり、その後、丸みを有する縁部が上側移行部分35を形成して前方コア縁部15に隣接するところで幅W4に戻り、この幅W4が幅広部分22の幅W1より狭い。幅W3が、幅広部分22の幅が後方セグメント18内のコア5の横方向最大幅W2の少なくとも1.1倍である、ところを示す。
【００８３】
図4bが、幅広部分22の下側移行部分34を形成する直線を有する幅広部分22と、幅広部分22の底部パート内のコア5の残りの部分とを示す。下側移行部分34と上側移行部分35との間の幅広部分22の中間パート36が長手方向Yにおいて実質的に直線状であり、その後、直線が上側移行部分35を形成して前方コア縁部15に隣接するところで幅W4に戻り、この幅W4が幅広部分22の幅W1より狭い。幅W3が、幅広部分22の幅が後方セグメント18内のコア5の横方向最大幅W2の少なくとも1.1倍である、ところを示す。
【００８４】
図4cが湾曲形状を有する幅広部分22を示す。幅広部分22が、コア5の残りの部分から、湾曲形状を有する中間パート36へと直接に移行する。この湾曲形状は例えば円または楕円の一部分である。湾曲形状の少なくとも最も幅広パートが、後方セグメント18内のコア5の横方向Xにおける最大幅W2より少なくとも1.1倍大きい幅を有する。幅広部分22が、幅広部分22の幅W1より狭い、前方コア縁部15に隣接するところの幅W4へと直接に移行する。
【００８５】
図4a〜図4cでは、前方コア縁部15に隣接するところの横方向Xにおけるコア5の幅W4が、コア5の前方セグメント17の残りの部分における横方向Xのコア5の幅より小さくてよい。前方コア縁部15に隣接するところの横方向Xのコア5の幅が、横方向Xにおけるコア5の後方セグメント18内のコア5の少なくとも一部分の幅と等しくてよい。
【００８６】
図4dが、幅広部分22と幅広部分22の底部パート内のコア5の残りの部分と間の下側移行部分34を形成する丸みを有する縁部を有する、コア5の幅広部分22を示す。幅広部分22の中間パート36が長手方向において実質的に直線状である。この実施例では、狭い幅への上側移行部分35が存在せず、代わりに、幅広部分22が前方コア縁部15までその幅を維持する。
【００８７】
幅広部分の長さL1は、後方セグメント18の最大幅W2に対して幅広部分の幅が少なくとも1.1倍大きいところ、から測定される。図から分かるように、幅広部分22が、前方セグメント17の長さL2より大きいまたは小さい長手方向長さL1を有することができる。加えて、下側移行部分34および上側移行部分35が同じ形状である必要はない。さらに、移行部分34、35の形状は単に例示であり、示されるもの以外の他の形状を有することもできる。
【００８８】
幅広部分22が、30〜200ミリメートル、具体的には40〜180ミリメートル、より具体的には50〜160ミリメートルの範囲内にある長手方向Yにおける長さL1を有する。幅広部分22が、コア5の前方セグメント17の長さL2の、20〜130%、具体的には25〜120%、より具体的には30〜100%の範囲の、長手方向Yにおける長さL1を有する。
【００８９】
図5に概略的に示されるように、コア5の前方セグメント17が、コア5の後方セグメント18の面積A2より、少なくとも1.1倍大きい、具体的には少なくとも1.2倍大きい、より具体的には少なくとも1.3倍大きい、面積A1を有する。コア5の後方セグメント18の面積A2よりコア5の前方セグメント17の面積A1が大きいことの1つの利点は、放尿の可能性が最も高いところのコア5のエリアがより大きくなることである。これにより、コア5により放尿が吸収されることになる可能性がさらに増大し、さらにはコア5の外側に落下しなくなる。本明細書の面積は、使用者の方を向くことを意図される側におけるコアの表面積を意味する。
【００９０】
図5は図1aおよび図1bの物品1の代替的実施形態を示す。図5では、前方パネル3および後方パネル4の両方が、使用者の腰部の方に位置することを意図される概略長方形形状のメインセクション37と、使用者の股の方に位置することを意図される概略台形形状のセクション38とから構成される形状を有する。もちろん、上記概略幾何形状の一定レベルの変形形態も可能である。この実施形態では、第1の少なくとも部分的に弾性である領域11の弾性化領域が湾曲部分を備える。この実施形態では、第1の少なくとも部分的に弾性である領域11のラミネートウェブ材料の弾性化パート39の内側仮想延在部分23が、第1の少なくとも部分的に弾性である領域11のラミネートウェブ材料の弾性パート39の湾曲部分の内側端部26から接線方向に延在してよく、それにより、コア5から離間されて弾性化パート39の内側端部26が位置するときに、コア5と交差する。
【００９１】
すべての測定は、吸収性物品1に含まれるすべての弾性要素を製品内のいかなる場所でも寄り集まることがないような程度で延伸するような程度で吸収性物品1が長手方向および横方向の両方において延伸させられている状態において、平坦な状態で保持されて、サイドシールのところで開いている製品切断箇所のところで行われるが、吸収性物品1全体が完全に平坦であり、寄せ集められた状態ではない。物品1は、この平坦状態に達するような程度のみまで延伸させられる。
【００９２】
「吸収性物品」は、尿および/または血液などの体液を吸収するか、または吸収するように適合される、物品を意味する。
【００９３】
前方パネルおよび後方パネルを形成する本開示の不織布材料層またはウェブは、例えば、スパンポンド不織布、エアレイド不織布、ウェットレイド不織布、カード不織布、電界紡糸不織布、またはメルトブローン不織布から例えば選択されてよい。不織布材料は、例えば、縫い合わせ、水流交絡法、または熱接着などによる、複数のテクニックにより、接着され得る。
【００９４】
開示される製品の不織布材料は、天然物質および合成物質の混合物である。天然繊維は例えば、セルロース繊維であるか、または再生セルロースからの繊維である。
【００９５】
「弾性スレッド」という用語は、例えば、天然ゴム、合成ゴム、熱可塑性ポリウレタン、あるいはスチレンブロックコポリマー、またはspandex(ポリウレタン-ポリ尿素コポリマー)とも称されるエラステインなどの、熱可塑性エラストマ、などの、弾性材料で作られる弾性撚糸または弾性スレッドを意味することを意図される。スレッドは「LYCRA」という商標名で入手可能であるエラステインタイプのスレッドであってよいが、任意適切な弾性スレッドが使用されてよい。スレッドは、約80〜1200 dtexの線形的な質量密度(dtex)を有することができる。
【００９６】
弾性スレッドは、製造プロセス中、初期状態の張力を受けていない元の長さの、約50%から約300%、またより好適には初期状態の張力を受けていな元の長さの100%〜250%、最も好適には150〜220%の細長さである。弾性スレッドは、好適には、破断せずに少なくとも約200%の延伸に耐えることができるタイプのものであり、その結果、弾性スレッドが破断のリスクなしで製造プロセス中に安全に使用され得るようになる。
【００９７】
前方パネル3および/または後方パネル4のラミネートウェブ材料は、別法として、または弾性スレッドとの組み合わせで、前方パネル3および/または後方パネル4のシートの間で積層される弾性フィルム材料によって弾性化され得る。弾性フィルム材料を使用することが有利である可能性がある。その理由は、得られる弾性化されたラミネートウェブ材料を長手方向Yおよび横方向Xの両方において弾性にすることが可能であるからである。
【００９８】
弾性ウェブ材料に関する材料に関連するさらなる情報が、その全体を参照する特許文献２に開示されている。
【００９９】
吸収性コアは、セルロース性フラッフパルプ、組織層、高吸収性ポリマー(超吸収剤)、ヒドロゲル発泡材を含む吸収性発泡材、または吸収性不織布材料、などの、放出される排泄物を吸収するのに適する任意の従来の材料を含めてよい。
【０１００】
吸収性コアは、使用者の皮膚の方を向くことを意図される側に配置される液体透過性トップシートと、使用者の衣服の方を向くことを意図される吸収性コアの側に配置される液体不透過性バックシートとを有することができる。一般に、液体透過性トップシートは不織布材料を含むまたは不織布材料から構成される。トップシート材料は、さらに、トウ繊維、多孔質発泡剤、アパーチャを有するプラスチックフィルムなどで構成されてもよい。上で言及したように、トップシート材料に適する材料は、柔らかく、皮膚にとって不快なものであるべきではなく、例えば尿または月経液などの、体液を容易に浸み込ませるべきであり、低い再湿潤特性を呈するべきである。
【０１０１】
液体不透過性バックシートは、例えばポリエチレンフィルムまたはポリプロピレンフィルム、液体不浸透性材料でコーティングされる不織布材料、液体の浸み込みに抵抗する疎水性不織布材料、またはプラスチックフィルムと不織布材料とのラミネート、などの、薄いプラスチックフィルムで構成されてよい。バックシート材料は、バックシート材料を液体が通過するのを防止しながら、吸収性コアから蒸気を逃がすのを可能にするために通気性を有することができる。
【０１０２】
トップシートおよびバックシートは、例えば、接着的接合、接着、あるいは熱または超音波による溶接、などにより、互いに接続され得る。トップシートおよび/またはバックシートはさらに、接着剤、熱接着などの、当技術分野で既知の任意の方法により吸収性コアに取り付けられ得る。
【０１０３】
吸収性コア5のトップシートおよびバックシートは吸収性コア5のエリアを越えて外側に延在してよく、それにより吸収性コア5を含む吸収性インサート2を画定する。吸収性コア5の最大幅は、通常、横方向Xにおいて約120から200mmであり、吸収性コア5の最大長さL5が、通常、長手方向Yにおいて400から600mmである。
【０１０４】
吸収性コア5が、約50〜100mmの長手方向長さで前方パネル3と重なり合ってよい。さらに、吸収性コア5が約200〜250mmの長手方向長さで後方パネル4と重なり合ってよい。別法として、吸収性コア5が、約30〜70mmの長手方向長さで後方パネル4のメインセクション28と重なり合ってよい。
【０１０５】
特許請求の範囲で言及される参照符号は特許請求の範囲によって保護される主題の範囲を限定するものとみなされるべきではなく、単に特許請求の範囲の理解を容易にするためのものである。
【０１０６】
理解されるであろうが、本開示は、添付の特許請求の範囲の範囲から逸脱することなく種々の明瞭な観点において修正を行うことが可能である。したがって、図面および添付の説明は本質的に例示とみなされるべきであり、限定的であるとみなされるべきではない。本吸収性物品、ならびにその構成要素、および方法は、開示される特定の形態のみに限定されることを意図されないことを理解されたい。むしろ、本吸収性物品、ならびにその構成要素、および方法は、特許請求の範囲の範囲内にあるようなすべての修正形態、均等物、および代替形態を含むことを意図される。本吸収性物品、ならびにその構成要素、および方法は、開示される実施形態およびその変形形態からの特徴を組み合わせることによって形成され得る実施形態を含むことをさらに意図される。
【符号の説明】
【０１０７】
1  吸収性物品
2  吸収性インサート
3  前方パネル
4  後方パネル
5  吸収性コア
6  サイドシーム(a、b)
7  腰部開口部
8  脚部開口部
9  前方パネル側部縁部(a、b)
10  後方パネル側部縁部(a、b)
11  第1の少なくとも部分的に弾性である領域
12  第2の少なくとも部分的に弾性である領域
13  第3の少なくとも部分的に弾性である領域
14  長手方向コア縁部
15  前方コア縁部
16  後方コア縁部
17  前方セグメント
18  後方セグメント
19  中間セグメント
20  前方パネル腰部縁部
21  前方パネル脚部縁部(a、b)
22  幅広部分
23  仮想延在部分
24  長手方向ストリップ(a、b)
25  後方パネル腰部縁部
26  内側端部
27  後方パネル脚部縁部(a、b)
29  後方パネルメインセクション
29  後方パネル台形セクション
30  側方弾性要素
31  上側領域
32  中間領域
33  下側領域
34  下側移行部分
35  上側移行部分
36  中間パート
37  前方パネルメインセクション
38  前方パネル台形セクション
39  弾性化パート
A1  コアの前方セグメントの面積
A2  コアの後方セグメントの面積
W1  幅広部分の幅
W2  後方セグメント内のコアの最大幅
W3  幅広部分を画定する限界幅
L1  幅広部分の長さ
L2  前方セグメントの長さ
L3  後方セグメントの長さ
L4  中間セグメントの長さ
L5  コアの全長
【図１ａ】
2020512093.tif 000003
【図１ｂ】
2020512093.tif 000004
【図２】
2020512093.tif 000005
【図３】
2020512093.tif 000006
【図４ａ−４ｄ】
2020512093.tif 000007
【図５】
2020512093.tif 000008
【図６】
2020512093.tif 000009
【手続補正書】
【提出日】令和1年11月19日(2019.11.19)
【手続補正１】
【補正対象書類名】明細書
【補正対象項目名】００９０
【補正方法】変更
【補正の内容】
【００９０】
図６は図１ａおよび図１ｂの物品１の代替的実施形態を示す。図６では、前方パネル３および後方パネル４の両方が、使用者の腰部の方に位置することを意図される概略長方形形状のメインセクション３７と、使用者の股の方に位置することを意図される概略台形形状のセクション３８とから構成される形状を有する。もちろん、上記概略幾何形状の一定レベルの変形形態も可能である。この実施形態では、第１の少なくとも部分的に弾性である領域１１の弾性化領域が湾曲部分を備える。この実施形態では、第１の少なくとも部分的に弾性である領域１１のラミネートウェブ材料の弾性化パート３９の内側仮想延在部分が、第１の少なくとも部分的に弾性である領域１１のラミネトートウェブ材料の弾性パート３９の湾曲部分の内側端部２６から接線方向に延在してよく、それにより、コア５から離間されて弾性化パート３９の内側端部２６が位置するときに、コア５と交差する。
【手続補正２】
【補正対象書類名】図面
【補正対象項目名】図３
【補正方法】変更
【補正の内容】
【図３】
2020512093.tif 000010
【手続補正３】
【補正対象書類名】図面
【補正対象項目名】図６
【補正方法】変更
【補正の内容】
【図６】
2020512093.tif 000011
【国際調査報告】
2020512093.tif 000012
2020512093.tif 000013
2020512093.tif 000014
2020512093.tif 000015